(57)【特許請求の範囲】
【請求項１】
ボードが進水している場合の、サーフボード本体に多機能モジュール（２）が取り付けられているサーフィン・パラメータの計測および送信装置であって、
筐体（１１）内に設置されているカプセル（１０）から構成される前記多機能モジュール（２）からなり、
ここにおいて前記カプセル（１０）は、前記カプセル（１０）の外側にある球面片（４）の柄に接続する電位計（５）を内部に有し、
前記カプセル（１０）は、前記電位計（５）から電気信号を受信する小型制御器（６）を内部に有し、
前記カプセル（１０）は、前記小型制御器（６）から信号を受信する無線送信器（７）を有し、
また前記カプセル（１０）は、前記筐体（１１）本体に取り付けられている支持リング（１２）の動作により、前記筐体（１１）内に設置された状態に維持されることを特徴とする装置。
【請求項２】
前記多機能モジュール（２）は、流体媒体内で移動する固体胴体に設置されていることを特徴とする請求項１に記載の装置。
【請求項３】
前記カプセル（１０）は、前記カプセル（１０）のシャフト（１３）の先端を中心にして、前記筐体（１１）に対して回転し、
前記シャフト（１３）の先端が、前記筐体（１１）本体内のベアリング（１５）上に留まり、
前記カプセル（１０）の回転は、前記カプセル（１０）本体を横断方向に押す、前記支持リング（１２）に配置されるネジ（２０）により停止されることができる、ことを特徴とする請求項１に記載の装置。
【請求項４】
前記球面片（４）の幾何学的形状が、半径方向に延びる柄を有する球形であり、他方の柄の端部上に電位計（５）に接続している膝継手を有することを特徴とする請求項１に記載の装置。
【請求項５】
前記多機能モジュール（２）が進水する前記流体媒体に接触する前記球面片（４）を有することを特徴とする請求項１に記載の装置。
【発明の詳細な説明】
【技術分野】
【０００１】
本発明は、サーフボードの排水情報を計測し、計測データを電気信号に変換し、それをデータ処理器に送るように適用されたセンサを内蔵するカプセルを有する測定装置に関する。
【背景技術】
【０００２】
現在、流体媒体内を移動する物体の速度の測定が、抵抗領域を移動する物体の流体力学的外形、移動抵抗および流体摩擦損失を評価するために実験室で行われている。試験は、流体に対する物体の相対運動をシミュレートする。物体は停止していて、流体がその周囲を流れる。実験室でのシミュレーション試験の際に使用する測定機器および計器は、物体がサーフボードであり、リアルタイムであちこち移動している場合には、測定に適用されない。
【特許文献１】ＩＮＰＩ／ブラジル出願ＰＩ０１０６５９８−０
【発明の開示】
【０００３】
現在、「現場」での測定は行うことができない。すなわち、リアルタイムであちこち移動しているサーフボードを使用して行うことができない。サーフボードの自重、運動抵抗、サーファーの位置その他のようなサーフボードの性能に対する現在の主要パラメータを重大に損なわない、サーフボードに固定された測定装置が存在しないからである。
【０００４】
（従来技術の説明および発明の概要）
２０００年１２月２８付けで、ＩＮＰＩ／ブラジルで出願されたＰＩ０１０６５９８−０（特許文献１）は、サーフボードおよび関連品用の遠隔計測システムを記述している。この文献は、発明のアイデアの機能的態様および計測、送信、保管および情報データのサブシステムを有するブロック図を開示している。
【０００５】
（発明の概要）
本発明のサーフィン・パラメータの計測および送信装置は、サーフボードに固定され、接触している水に対するサーフボードの相対速度を瞬間的にリアルタイムで計測する機能を有する。瞬間速度ベクトルからのデータはコンピュータに送信され、コンピュータは、特定のソフトウェアにより、サーフボードのモジュールに関する、対水流速度および方向の情報を演算処理して送信し、サーフボードおよび付属品からなる器具の技術的性能分析のための有用な情報を提示する。これは生体力学の研究を推進し、競技の判定についての情報を蓄積し、またマルチメディア・プレーゲームの開発のためのデータバンクを生成するために資する。
【０００６】
操作上、サーフィン・パラメータの計測および送信装置は、サーフボード上に設置されている１つの多機能モジュール、および１つの受信およびデータ処理器（ＣＰＵ）からなる。多機能モジュールは、２つの電位計、１つの小型制御器および１つの無線周波数送信器に接続する１つの葉片を有する。サーフボードの排水による葉片の排水は、電位計により電気信号に変換される。電気信号は小型制御器により変換され、強化され、小型制御器は、データを無線周波数送信器に送る。陸上の固定基地は、データの受信／送信器とＣＰＵである。それは無線周波信号を受信し、データをコンピュータに送る無線受信器を備える。このコンピュータは、情報を処理し、送信する本特許出願の主題ではない特定のソフトウェアを有する。
【発明を実施するための最良の形態】
【０００７】
組立工程において、筐体（１１）は、サーフボード（１）の胴体内に恒久的に埋め込まれる。カプセル（１０）は、シャフト（１３）がベアリング（１５）上に留まるように筐体（１１）内に取り付けられる。支持リング（１２）は、カプセル（１０）が緩むのを防止するために、筐体（１１）本体にネジ止めされる。カプセル（１０）は、球面片（４）をカプセル（１０）の外部かつ筐体（１１）外部の稼動位置に位置決めする機能を有するシャフト（１３）を中心にして回転することができる。球面片（１０）を内側にして、または外側にして行うカプセル（１０）の固定は、カプセル（１０）本体上に位置する溝（２２）のうちの一方に入るラッチ（２１）の動作により、カプセル（１０）をロックするネジ（２０）を回すことにより行われる。球面片（４）は、球面片をカプセル（１０）の内側部分に連結する柄を有する。柄は、カプセル（１０）内側の端部に膝継手を有する。
【０００８】
測定を行うために、サーフボード（１）は進水し、球面片（４）は水に浸される。水の運動エネルギーが球面の抵抗となって球面片（４）を押し、球面片は、回転の中心としての膝継手を有する柄の軸に対して傾斜する。膝継手は、カプセル（１０）の内側に位置していて、ジョイスティックのように電位計（５）に接続している。運動水圧が加わらなくなると、弾性ばねの力が球面片（４）をその元の位置に戻す。電位計（５）は、時間単位毎にベクトルの排水座標ＸＹを記録する。次に、データが小型制御器（６）に送られ、変換されて無線周波数により固定基地（３）に送られる。
排水に抵抗する球面片（４）は、本発明の顕著な特徴である。何故ならば、球形の形のため、排水の方向がサーフボード（１）に対してどちらを向いていようとも、球面片（４）はその排水に対して同じ抵抗を受けるからである。
【０００９】
（他の実施形態の説明）
本明細書においては、パラメータ計測および送信装置を、実用例の一例として、また本発明をよりよく理解してもらうためにサーフボードに設置されているものとして説明してきた。本発明は、水上、空中または他の流体媒体内を移動する他の装置および車両にも使用することができる。本明細書に記述したパラメータ計測および送信装置は、ウィンドサーフ用ボード、カイトサーフ用ボード、ウェイクボード、ボディボード、ボートまたは他の航行可能な車両のような装置に設置することができる。
本装置は実際に製作することができる。何故なら、大部分の構成部品は、従来技術により入手することができるからである。
【図面の簡単な説明】
【００１０】
【図１】サーフボードの胴体に埋め込まれている多機能モジュール（２）を有するサーフボード（１）を示す図である。この図は、無線受信器（８）およびコンピュータ（９）を備える固定基地（３）も示す。
【図２】サブモジュール、すなわち、球面片（４）と、電位計（５）と、小型制御器（６）と、無線送信器（７）とを有する多機能モジュール（２）を示す図である。
【図３】サーフボード（１）の胴体に埋め込まれている多機能モジュール（２）を示すサーフボード（１）の断面図である。多機能モジュール（２）は、カプセル（１０）と、筐体（１１）と、支持リング（１２）とを備える。カプセル（１０）は、電位計（５）と、小型制御器（６）と、無線送信器（７）とを収容している。球面片（４）は、カプセル（１０）の外側に位置していて、カプセル（１０）は、筐体（１１）の内側に位置している。この図は、また、筐体（１１）の内側にカプセル（１０）を保持している支持リング（１２）も示す。
【図４】２つのシャフト（１３）と、２つの充填縁（１４）と、カプセル（１０）の本体上の２つの溝（２２）とを有するカプセルの側面図である。この図は、また、カプセル（１０）外部の球面片（４）も示す。
【図５】２つのシャフト（１３）および２つの充填縁（１４）を有するカプセル（１０）の平面図である。この図は、また、カプセル（１０）外部にある球面片（４）も示す。
【図６】シャフト（１３）を支持するためのベアリング（１５）および球面片（４）を収容する窪み（１６）を備える筐体（１１）の断面図である。
【図７】シャフト（１３）を支持するためのベアリング（１５）および球面片（４）を収容する窪み（１６）を備える筐体（１１）の正面図である。
【図８】先端にラッチ（２１）を有するネジ（２０）を備える支持リング（１２）の断面図である。
【図９】窪み（１６）の断面と類似の断面を有する２つの凹部（１７）を有する支持リング（１２）の正面図である。この図は、その先端にラッチ（２１）を有するネジ（２０）も示す。
【図１０】カプセル（１０）が１８０度回転した場合の筐体（１１）の断面図である。筐体はサーフボードを輸送する時の位置にある。球面片（４）は、筐体（１１）内に収容され保護されている。カプセル（１０）のカバー（１８）は筐体（１１）の外部に常時露出する側に位置する。
【図１１】カプセル（１０）が９０度回転した場合の多機能モジュール（２）の正面図である。図に示すように、窪み（１６）は、球面片（４）とほぼ等しい断面を有する。
【符号の説明】
【００１１】
１  サーフボード        ２  多機能モジュール
４  球面片              ５  電位計
６  小型制御器          ７  無線送信器
１０  カプセル          １１  筐体
１２  支持リング        １３  シャフト
１５  ベアリング        ２０  ネジ
【図１】
0004452688.tif 000002
【図２】
0004452688.tif 000003
【図３】
0004452688.tif 000004
【図４】
0004452688.tif 000005
【図５】
0004452688.tif 000006
【図６】
0004452688.tif 000007
【図７】
0004452688.tif 000008
【図８】
0004452688.tif 000009
【図９】
0004452688.tif 000010
【図１０】
0004452688.tif 000011
【図１１】
0004452688.tif 000012